(57)【要約】【課題】バール，電動鋸などによる破壊行為に対して、堅牢で高い防盗性が確保できるメイン扉のヒンジ構造を提供する。【解決手段】メイン扉２の吊り側上面に先端部１０ａを突き出して本体１の天板にヒンジプレート１０を固定し、該ヒンジプレートの先端部に通したヒンジ軸１１を介してメイン扉の上部側を本体にヒンジ結合したものにおいて、ヒンジプレートの先端部を上下から挟んで覆うように、メイン扉の扉上面に上，中，下の３枚のカバー１３ａ〜１３ｃを重ね合わせた構造のヒンジカバー１３を取付けた上で、該ヒンジカバーにヒンジ軸を溶接，圧入などして抜けないように固着し、さらにヒンジ軸の軸上にはカラー１５を遊嵌してヒンジプレートの軸穴に嵌挿する。この構造により、バール，電動鋸など工具を使っても簡単にヒンジが破壊されない堅牢性の確保と防盗性の強化が図れる。【選択図】      図１
2004252912.tif 000002
【特許請求の範囲】
【請求項１】
自動販売機の本体前面に配した片開き式メイン扉の扉ヒンジ装置であり、メイン扉の吊り側上面に先端部を突き出して本体の天板にヒンジプレートを固定し、該ヒンジプレートの先端部に通したヒンジ軸を介してメイン扉の上部側を本体にヒンジ結合したものにおいて、
前記ヒンジプレートの先端部を上下から覆ってメイン扉の扉上面にヒンジカバーを設けた上で、該ヒンジカバーにヒンジ軸を固着したことを特徴とする自動販売機の扉ヒンジ装置。
【請求項２】
請求項１に記載の扉ヒンジ装置において、ヒンジ軸をヒンジカバーに溶接もしくは圧入して固着したことを特徴とする自動販売機の扉ヒンジ装置。
【請求項３】
請求項１または２のいずれかの項に記載の扉ヒンジ装置において、ヒンジ軸の軸上にカラーを装着し、該カラーがヒンジプレートの先端部に開口した軸穴に嵌挿されることを特徴とする自動販売機の扉ヒンジ装置。
【請求項４】
請求項１ないし３のいずれかの項に記載の扉ヒンジ装置において、ヒンジ軸をボルトとしてヒンジカバー，ヒンジプレートおよびメイン扉の上面に嵌挿し、かつそのボルト頭をヒンジカバーに溶接接合した上で、メイン扉の内側からナット締めしたことを特徴とする自動販売機の扉ヒンジ装置。
【請求項５】
請求項１ないし４のいずれかの項に記載の扉ヒンジ装置において、ヒンジカバーが鋼板製の上カバー，下カバー，および上カバーと下カバーの間にスペーサとして介挿した中カバーとからなり、各カバーを上下に重ね合わせた上で、メイン扉の扉上面にボルト締結して固着しことを特徴とする自動販売機の扉ヒンジ装置。
【請求項６】
請求項５に記載の扉ヒンジ装置において、中カバーが、複数枚の調整ライナを重ね合わせた積層体からなることを特徴とする自動販売機の扉ヒンジ装置。
【請求項７】
請求項１ないし６のいずれかの項に記載の扉ヒンジ装置において、ヒンジプレートとヒンジカバーとの間に凹凸形状の噛み合い係合部を形成し、前記係合部が互いに入り組んで扉を閉位置に拘束するようにしたことを特徴とする自動販売機の扉ヒンジ装置。
【請求項８】
請求項７に記載の扉ヒンジ装置において、凹凸形状の噛み合い係合部を、ヒンジプレートの前縁側とこれに対峙するヒンジカバーの中カバーの後縁側に形成したことを特徴とする
自動販売機の扉ヒンジ装置。
【請求項９】
請求項１ないし５のいずれかの項に記載の扉ヒンジ装置において、扉上面を貫通してメイン扉の内側に突き出したヒンジ軸，固定ボルトおよび該ヒンジ４軸，固定ボルトに螺合したナットの周域を下方側から覆って、メイン扉の内側に防盗用のヒンジ下部カバーを設けたことを特徴とする自動販売機の扉ヒンジ装置。
【請求項１０】
請求項９に記載の扉ヒンジ装置において、ヒンジ下部カバーが鋼板製の箱体になり、メイン扉の内側に設けたカバー取付金具に対して前記箱体をその背面側からねじ止め固定し、かつそのねじ止め箇所をメイン扉の上面側に配したヒンジカバーの固定ボルトのナットに位置を合わせて設定したことを特徴とする自動販売機の扉ヒンジ装置。
【発明の詳細な説明】
【０００１】
【発明の属する技術分野】
本発明は、自動販売機の本体前面に配した片開き式メイン扉の扉ヒンジ装置に関する。
【０００２】
【従来の技術】
まず、図９（ａ）  〜（ｃ）  に頭記した自動販売機の外観を示す。図において、１は庫内に商品収納ラックを搭載した断熱筐体になる自動販売機の本体、２は本体１の前面に配した片開き式のメイン扉であり、メイン扉２は吊り側（左側）の上下端が詳細構造を後記する上部側ヒンジ３，および下部側ヒンジ４を介して本体１に軸支連結されている。なお、５はメイン扉２に設けた商品ディスプレイ室、６は商品取出口、７，８は扉の裏面側に装備したコイン機構，ビルバリデータに通じるコイン投入口，紙幣挿入口、９は扉の吊り側と反対側（右端）に設けた扉ロックである。
【０００３】
次に、前記したメイン扉２の上部側ヒンジ３について、その従来構造（例えば、特許文献１参照）を図１０（ａ），（ｂ）  に示す。すなわち、上部側ヒンジ３は、本体１の天板上面に取付けた厚肉鋼板のヒンジプレート１０と、ヒンジプレート１０の先端部１０ａに植設してメイン扉２の上面に嵌挿したヒンジ軸（ピン）１１とからなる。ここで、ヒンジプレート１０はボルト１２により本体１の天板に強固に固着され、ヒンジ軸１１はヒンジプレート１０の先端部１０ａに開口した軸穴に圧入するか，もしくはヒンジ軸の頭部をヒンジプレート１０に溶接接合して抜けないように固着している。
【０００４】
【特許文献１】
特開平１０−１３１５９４号公報
【０００５】
【発明が解決しようとする課題】
ところで、前記した従来のヒンジ構造では、防盗性の面で次記のような問題点がある。すなわち、最近になり自動販売機から金銭を盗み取る盗難が多発しており、その手口としては自動販売機の外面に露出しているメイン扉２の上部側ヒンジ３をバール，電動鋸などを使って破壊し、ヒンジ軸１１を抜き取った上でメイン扉２を本体１から外し、庫内側に装備したコイン機構，ビルバリデータから金銭を盗み出す手口が多い。
特に、図１０（ａ），（ｂ）  に示した従来構造ではヒンジプレート１０が一枚板であり、該ヒンジプレートの先端部１０ａとメイン扉２の上面との間に多少の遊び間隙が残っていることから、この隙間にバールなどをコジ入れてヒンジ軸１１をメイン扉２から抜く、あるいは隙間に電動鋸の鋸歯を差し込んでヒンジ軸１１を切断することが可能であることから盗難の被害を受けやすい。
【０００６】
本発明は上記の点に鑑みなされたものであり、その目的は前記問題点を解消し、堅牢で高い防盗性が確保できるように構造を改良した扉ヒンジ装置を提供することにある。
【０００７】
【課題を解決するための手段】
上記目的を達成するために、本発明によれば、自動販売機の本体前面に配した片開き式メイン扉に対し、メイン扉の吊り側上面に先端部を突き出して本体の天板にヒンジプレートを固定し、該ヒンジプレートの先端部に通したヒンジ軸を介してメイン扉の上部側を本体にヒンジ結合した扉ヒンジ装置において、
前記ヒンジプレートの先端部を上下から挟むようにしてメイン扉の扉上面に厚肉な鋼板で作られたヒンジカバーを固定した上で、該ヒンジカバーにヒンジ軸を植設して固着し、このヒンジ軸を介して本体のヒンジプレートに軸支連結する（請求項１）。
【０００８】
上記の構成によれば、メイン扉の上面に突き出したヒンジプレートの先端部がヒンジプレートにより上下から覆われて外部に露出することがなく、かつヒンジプレートとメイン扉の上面の間にはバール，電動鋸歯などを差し込む隙間も残らず、これにより先記した盗難手口に対して高い防盗性が確保できる。
また、本発明によれば、前記のヒンジ装置は次に記すような具体的態様で構成することができる。
（１）  ヒンジ軸の抜け防止策として、ヒンジ軸をヒンジカバーに溶接もしくは圧入して強固に固着する（請求項２）。
【０００９】
（２）  電動鋸などでヒンジ軸が切断されるのを防ぐ防護策として、ヒンジ軸の軸上にカラーを装着し、該カラーがヒンジプレートの先端部に開口した軸穴に嵌挿されるようにし、ヒンジ軸を電動鋸で切断しようとしてもカラーが空回りしてヒンジ軸が切断されるのを防ぐようにする（請求項３）。
（３）前項（１）とは別なヒンジ軸の抜け止め強化策として、ヒンジ軸にボルトを採用してヒンジカバー，ヒンジプレートおよびメイン扉の上面に嵌挿し、かつそのボルト頭をヒンジカバーに溶接接合した上で、さらにメイン扉の内側からボルトが上方に抜けないようにナットを螺合して締結する（請求項４）。
【００１０】
（４）  ヒンジ軸の軸部が外部に露出しないようにするために、ヒンジカバーを鋼板製の上カバー，下カバー，および上カバーと下カバーの間にスペーサとして介挿した中カバーとを組み合わせた３枚のカバーで構成し、上中下の各カバーを重ね合わせた上で、メイン扉の扉上面にボルト締結して固着する（請求項５）。また、前記の中カバーを板厚の薄い複数枚の調整ライナを重ね合わせた積層体とし、該ライナの積層枚数を調整することにより、ヒンジカバーとヒンジプレートとの高さを整合して両者間に不要な隙間が生じるのを防止する（請求項６）。
（６）また、上部ヒンジが万一破壊されても簡単にメイン扉が取り外せないようにする防盗強化策として、前記ヒンジプレートとヒンジカバーとの間に凹凸形状の噛み合い係合部を形成し、該係合部が互いに入り組んで扉を閉位置に拘束するようにし（請求項７）、ここで前記の噛み合い係合部をヒンジプレートの前縁側とこれに対峙するヒンジカバーの中カバーの後縁側に形成する（請求項８）。
【００１１】
（７）さらに、自動販売機の前方から電照板，ディスプレイ室を破壊してメイン扉の内側からヒンジ軸を外そうとする盗難手口に対する防盗対策として、扉上面を貫通してメイン扉の内側に突き出したヒンジ軸，固定ボルト、およびヒンジ軸，固定ボルトに螺合したナットの周域を下方側から覆ってメイン扉の内側に防盗用のヒンジ下部カバーを設け、該カバーを防護壁としてヒンジ軸，固定ボルトを固定しているナットを扉の内側から取り外せないようにする（請求項９）。また、ヒンジ下部カバーは鋼板製の箱体で作り、メイン扉の内側に設けたカバー取付金具に対して前記箱体をその背面側からねじ止め固定するとともに、そのねじ止め箇所をメイン扉の上面側に配したヒンジカバーの固定ボルトのナットに位置を合わせて設定する（請求項１０）。
【００１２】
これにより、電照板が破壊されても前方からヒンジ下部カバーを固定している止めねじは簡単に外せなくなる。また、ヒンジ下部カバーを無理やり捲って固定ボルトの周辺を剥き出しにしても、前記の止めねじを外さない限りはこのねじが邪魔になって固定ボルトのナットをボックススパナー等の工具を使って外すことができず、その結果として高い防盗性が確保できる。
【００１３】
【発明の実施の形態】
以下、本発明の実施の形態を図１〜図８に示す実施例に基づいて説明する。なお、各実施例の図中で図９〜図１０に対応する部材には同じ符号を付してその説明は省略する。
〔実施例１〕
まず、図１，図２に上部側ヒンジ３を組付けてメイン扉２を本体１に軸支連結した状態の組立構造を示し、その上部側ヒンジ３を構成する各部品を図３〜図６に示す。
【００１４】
すなわち、この実施例の組立構造では、本体１の天板上面にボルト１２，ナット１２ａを介して締結固定されたヒンジプレート１０に対して、メイン扉２の上面側には前記ヒンジプレート１０からメイン扉２の吊り側上面に向けて突き出す先端部１０ａを上下から挟み込むように、上カバー１３ａ，下カバー１３ｂ，およびスペーサとして前記カバー１３ａと１３ｂの間に介挿した中カバー１３ｃの３枚のカバー（厚肉鋼板製）を重ね合わせて構成したヒンジカバー１３を設け、このヒンジカバー１３を２本の固定ボルト１４およびナット１６を介してメイン扉２の上面に締結固定する。また、このヒンジカバー１３には、ヒンジプレート１０の先端部１０ａに開口した軸穴１０ｂ（図３（ａ）  参照）を貫通し、軸先端がメイン扉２の内側に突き出すようにしてヒンジ軸１１が固着されている。
【００１５】
すなわち、ヒンジ軸１１にはボルトを用い、図４で示すようにボルト頭１１ａの周縁を上カバー１３ａに溶接し（溶接を符号Ｗで表示している）、さらにボルト先端にはメイン扉２の内側からナット１６を螺合してヒンジ軸１１が上方に抜けないように締結している。また、ヒンジカバー１３の締結ボルト１４もそのボルト頭が上カバー１３ａに溶接接合した上で、ナット１６で扉の内側から締結固定するようにしている。なお、溶接する代わりにボルトをヒンジカバー１３に圧入して固着するようにしてもよい。
また、図１，図２で示すように、ヒンジ軸１１には軸上に円筒形のカラー１５を遊嵌した上で、このカラー１５をヒンジ組立時にヒンジプレート１０の先端部１０ａに開口した軸穴１０ｂの中に嵌挿するようにしている。このカラー１５は、ボルトとしてヒンジ軸１１の軸に形成したねじ部がヒンジプレート１０の軸穴１０ｃに直接触れて損耗するのを防ぐスペーサとしての機能のほか、電動鋸を使って外部からヒンジ軸１１を切断しようとした場合の防護の役目も果たす。すなわち、ヒンジの側方から隙間に差し込んでヒンジ軸１１を切断しようとしても、鋸歯はカラー１５の周面に当たってカラーが空回りするので、ヒンジ軸１１の切断が防げる。なお、カラー１５は、あらかじめ焼き入れなどにより表面を硬化処理しておくのがよい。また、カラー１５はヒンジ軸１１の軸上に遊嵌して装着する以外に、その内径側にヒンジ軸１１のねじ部に螺合する雌ねじを有し、この雌ねじをヒンジ軸１１にねじ込んで装着するものでもよい。この場合に、カラーのヒンジ軸１１への装着は、ヒンジ軸１１を上カバー１３に溶接した後に行なうことにより、ヒンジ軸１１の上カバー１３への溶接による溶接熱によりカラーの焼き入れが戻ることはない。
【００１６】
上記のヒンジ組立構造では、ヒンジプレート１０の先端部１０ａを上下から挟むように厚肉鋼板で作られたヒンジカバー１３がメイン扉２に固定されており、さらにヒンジプレート１０に通したヒンジ軸１１にはカラー１５が嵌まり、かつ上端頭部がヒンジカバー１３に溶接されている。
したがって、バールなどの工具を使い、ヒンジプレート１０の先端部を押し上げてヒンジ軸１１を抜こうとした場合に、ヒンジカバー１３がこれを防護する。また、電動鋸を使ってヒンジを切断しようとしても鋸歯を差し込む隙間が殆どなく、また無理やり差し込んでも鋸歯がカラーに当たって空回りするのでヒンジ軸を簡単に切断できない。これにより、図１０に示した従来構造と比べて防盗性が大幅に改善される。
【００１７】
〔実施例２〕
次に本発明の請求項７，８に対応する実施例を図７（ａ）  〜（ｃ）  に示す。この実施例は、先記した実施例１の構造による防盗機能をさらに強化したもので、ヒンジ軸１１が破壊されてもメイン扉２が簡単に取り外せないように改良している。そのために、この実施例では、ヒンジプレート１０とヒンジカバー１３との間には、双方から互いに入り組んでメイン扉を閉位置に拘束する凹凸形状の噛み合い係合部１７が形成されている。
すなわち、本体１の天板前部に取付けたヒンジプレート１０の前縁には、図７（ｂ）  で示すように前方に突き出す係合凸部１０ｃが形成され、この係合凸部１０ｃに対向してメイン扉２の上面に装着したヒンジカバー１３の中カバー１３ｃには、図７（ｃ）  で示すように係合凹部１３ｃ−２が形成されており、メイン扉２を閉じた状態では図７（ａ）  で示すように前記の係合凸部１０ｃと係合凹部１３ｃ−２が噛み合っている。なお、係合凸部１０ｃと係合凹部１３ｃ−２との噛み合い面はヒンジ軸１１を中心とした円弧面で形成されている。
【００１８】
上記の構成により、通常の状態ではメイン扉２が噛み合い係合部１７に阻害されることなく、ヒンジ軸１１を軸支点として開閉できる。一方、メイン扉２が閉じた状態で上部側ヒンジ３が万一破壊されても、前記したヒンジプレート１０の係合凸部１０ｃとヒンジ中カバー１３ｃの係合凹部１３ｃ−２とが互いに入り組んで噛み合っているので、メイン扉２の下部ヒンジ４（図８参照）が健全な状態で残っている限りはメイン扉２を簡単に前方へ取り外すことができず、これにより防盗性の強化が図れる。
〔実施例３〕
次に、本発明の請求項６および請求項１０，１１に対応する実施例を図８で説明する。
【００１９】
まず、メイン扉２の上面側に配したヒンジカバー１３の中カバー１３ｃに関して、先記の実施例１では中カバー１３ｃが一枚の厚板鋼板であったが、この実施例では中カバー１３ｃを薄鋼板で作られた複数枚の調整ライナ１３ｃ−１を積み重ねて構成している。そして、外扉２を本体１に組み付ける組立工程で、メイン扉２と本体１との間に高さのバラツキが生じた場合には前記ライナ１３ｃ−１の積み重ね枚数を調整し、ヒンジプレート１０の先端部１０ａとヒンジカバー１３の上カバー１３ａ，下カバー１３ｂとの間に余分な隙間が発生したり、逆に齧りが生じたりするのを防ぐようにする。
【００２０】
また、この実施例では、比較的壊し易い電照板およびディスプレイ室（図９参照）を破壊し、スパナー，レンチなどの工具を使ってメイン扉２の内側からヒンジ軸１１，ヒンジカバー１３の固定ボルト１４を締結しているナット１６を緩めた上で、メイン扉２を取り外すような盗難手口に対する防盗対策として、次記のような構造を採用している。
すなわち、メイン扉２の上面を貫通して扉内側に突き出したヒンジ軸１１，固定ボルト１４、およびこのヒンジ軸，固定ボルトに螺合したナット１６の周域を下方側から覆って、メイン扉２の内側にはヒンジ下部カバー１９を追加装備し、このヒンジ下部カバー１９を扉内側に設けたカバー取付金具１８に止めねじ２０で固定するようにしている。
【００２１】
ここで、ヒンジ下部カバー１９は鋼板を板金加工した横長な箱体で作られている。また、カバー取付金具１８は、ヒンジ下部カバー１９の外形に対応した横長な箱蓋体になり、ヒンジ軸１１，固定ボルト１４に共締めしてメイン扉２の内側に固定されている。そして、このカバー取付金具１８に対してヒンジ下部カバー１９の箱体をその背面側から止めねじ２０で固定するようにしている。また、そのねじ止め箇所は、先記した固定ボルト１４の締結用ナット１６の周面と対峙してその背後側に近接するような位置に設定されており、カバー１８を取付金具１９にねじ止めした状態では、図示のように止めねじ２０の先端がナット１６の周面近くに突き出している。
【００２２】
この構成により、電照板，ディスプレイ室の壁が破壊されても、前記のヒンジ下部カバー１９が防護壁となり、メイン扉２の内側からヒンジ軸１１，ヒンジカバー１３の固定ボルト１４に螺合した締結用ナット１６に直接アクセスしてこれを取り外すことができない。しかも、ヒンジ下部カバー１９は裏側から止めねじ２０で固定しているので、前方からでは止めねじ２０を簡単に外せない。また、ヒンジ下部カバー１９を無理やり捲って固定ボルトの周辺を剥き出しにしたとしても、止めねじ２０を外さない限りはこのねじが邪魔になって固定ボルト１４のナット１６をボックススパナー等の工具を使って外すことができず（ボックススパナが止めねじ２０に当たってナット１４に嵌まらない）、その結果として高い防盗性が確保できる。
【００２３】
【発明の効果】
以上述べたように、本発明の構成によれば次記の効果を奏する。
（１）  メイン扉の吊り側上面に向け先端部を突き出して本体の天板にヒンジプレートを固定し、該ヒンジプレートの先端部に通したヒンジ軸を介してメイン扉の上部側を本体にヒンジ結合したメイン扉の扉ヒンジ装置において、前記ヒンジプレートの先端部を上下から覆ってメイン扉の扉上面にヒンジカバーを固定した上で、該ヒンジカバーにヒンジ軸を溶接，圧入するなどして固着したことにより、不正な破壊行為に対して高い防盗性を確保できる。
【００２４】
（２）  また、ヒンジ軸の軸上にカラーを装着してヒンジプレートの軸穴に嵌挿した構でヒンジ軸が電動鋸で切断されるのを防護できるほか、ヒンジ軸がヒンジプレートに当たって損耗するのを防ぐスペーサとしての役目も果たす。
（３）  また、ヒンジプレートとヒンジカバーに、互いに入り組んでメイン扉を閉位置に拘束する凹凸形状の噛み合い係合部を形成したことにより、上部側ヒンジが破壊されても簡単にメイン扉を外すことができず、これによりより一層の防盗性強化が図れる。
（４）さらに、メイン扉の内側に突き出しているヒンジ軸，ヒンジカバーを固定している固定ボルト，およびその締結用ナットの周域を下方から覆って扉内側にヒンジ下部カバーを設けたことにより、自動販売機の電照板，ディスプレイ室を破壊してメイン扉の内側からヒンジ軸を外そうとする盗難手口に対する防盗性を高めることができる。
【図面の簡単な説明】
【図１】本発明の実施例１に対応する上部側ヒンジを自動販売機に装着した状態を表すヒンジ組立構造の側面図
【図２】図１の平面図
【図３】図１におけるヒンジプレートの構造図で、（ａ），（ｂ）  はそれぞれ平面図，および側面図
【図４】図１におけるヒンジカバーの部品構造図で、（ａ），（ｂ）  それぞれヒンジ軸，カラー，締結ボルトを組付けた上カバーの平面図，正面図、（ｃ）  はカラーの構造図
【図５】図１におけるヒンジ中カバーの部品構造図で、（ａ），（ｂ）  はそれぞれ平面図，および正面図
【図６】図１におけるヒンジ下カバーの部品構造図で、（ａ），（ｂ）  はそれぞれ平面図，および正面図
【図７】本発明の実施例２に対応する上部側ヒンジの構造図で、（ａ）  は自動販売機に装着してメイン扉を閉じた状態の平面図、（ｂ），（ｃ）  はそれぞれ（ａ）  におけるヒンジプレート，およびヒンジ中カバーの平面図
【図８】本発明の実施例３に対応する上部側ヒンジの組立構造図で、（ａ），（ｂ）  はそれぞれ一部切欠して要部の内部構造を表す側面図，および平面図
【図９】自動販売機の外観図で、（ａ），（ｂ），（ｃ）  はそれぞれ正面図，側面図，および上面図
【図１０】図９における上部側ヒンジの従来における組立構造図で、（ａ），（ｂ）  はそれぞれ上面図，側面図
【符号の説明】
１    自動販売機の本体
２    メイン扉
３    上部側ヒンジ
１０    ヒンジプレート
１０ａ  前端部
１０ｂ  軸穴
１０ｃ  係合凸部
１１    ヒンジ軸
１１ａ  ヒンジ軸のボルト頭
１３    ヒンジカバー
１３ａ  上カバー
１３ｂ  下カバー
１３ｃ  中カバー
１３ｃ−１  係合凹部
１４    ヒンジカバーの締結ボルト
１５    カラー
１６    ナット
１７    噛み合い係合部
１８    カバー取付金具
１９    ヒンジ下部カバー
２０    止めねじ
【図１】
2004252912.tif 000003
【図２】
2004252912.tif 000004
【図３】
2004252912.tif 000005
【図４】
2004252912.tif 000006
【図５】
2004252912.tif 000007
【図６】
2004252912.tif 000008
【図７】
2004252912.tif 000009
【図８】
2004252912.tif 000010
【図９】
2004252912.tif 000011
【図１０】
2004252912.tif 000012